(57)【要約】  フットボール／サッカー靴（１）が記載される。靴（１）は、一端にヒール（５）と他端にトウ（７）とを有して、ヒール（５）とトウ（７）との間に側部（９）が延びる靴本体（３）を含む。トウ（７）は、ボールのキック中にフットボール／サッカーのボールに当たる凹部（１１）を含む。凹部（１１）は、半径が約１１ｃｍである。これは、標準のフットボール／サッカーのボールの半径に実質的に対応する。
2010517710.tif 000002
【特許請求の範囲】
【請求項１】
一端にトウと他端にヒールとを有する靴本体を含み、
前記トウは、スポーツボールに当たる凹部を有する運動靴。
【請求項２】
前記凹部は、前記運動靴の使用が意図されるスポーツボールの半径に実質的に対応する半径を有する、請求項１に記載の運動靴。
【請求項３】
前記運動靴はフットボール／サッカー靴である、請求項１に記載の運動靴。
【請求項４】
前記運動靴は、プロラグビー、アマチュアラグビー、アメリカンフットボール、オーストラリア式フットボール、又はクリケットの靴である、請求項１に記載の運動靴。
【請求項５】
さらに、前記運動靴の内部であって前記凹部の近くにパッドを含む、請求項１に記載の運動靴。
【請求項６】
スポーツボールに当たる凹形状のトウ部を含む運動靴。
【請求項７】
前記凹形状のトウ部は、前記運動靴の使用が意図されるスポーツボールの半径に実質的に対応する半径を有する、請求項６に記載の運動靴。
【請求項８】
前記運動靴はフットボール／サッカー靴である、請求項６に記載の運動靴。
【請求項９】
前記運動靴は、プロラグビー、アマチュアラグビー、アメリカンフットボール、オーストラリア式フットボール、又はクリケットの靴である、請求項６に記載の運動靴。
【請求項１０】
さらに、前記凹形状のトウ部を補強するべく前記凹形状のトウ部の近くに補強材を含む、請求項６に記載の運動靴。
【請求項１１】
前記補強材は、前記凹部から前記ヒールに向かって延びるフレームを含む、請求項１０に記載の運動靴。
【請求項１２】
前記フレームは、前記本体の周縁のまわりに延びる複数のリブを含む、請求項１１に記載の運動靴。
【発明の詳細な説明】
【技術分野】
【０００１】
本発明は一般に運動靴に関し、詳しくは球技用の靴に関する。
【０００２】
本発明は、主にフットボール／サッカー靴として使用するべく開発され、本願を参照して以下に説明される。ただし、本発明はこの特定の分野に限られない。また、例えばプロラグビー（ｒｕｇｂｙ  ｌｅａｇｕｅ）、アマチュアラグビー（ｒｕｇｂｙ  ｕｎｉｏｎ）、オーストラリア式フットボール、アメリカンフットボール、クリケット、その他の球技において使用されてよい。
【背景技術】
【０００３】
周知のフットボール／サッカー靴は、上から見た場合、相対的に小さな半径を有する凸形状のトウ（ｔｏｅ）と、相対的に大きな半径を有する隣接した曲面形状側部を備える。さらに、靴の側部は典型的に、靴のトウよりも相対的に柔らかい。
【０００４】
トウの小さな半径ゆえに、靴のトウでキックされるボールを正確な方向に向かわせることは困難となる。これは、靴のトウによるボールのインパクトポイントの相対的に小さな変化が、当該インパクトポイントにおける靴に対する接線方向、すなわちキックされるボールの結果的な方向に大きな変化をもたらすからである。したがって、プレーヤは靴の側部でボールをキックすることが一般的である。ここで、大きな半径は、ボールに関するインパクトポイントにおいて、キックされるボールの結果的な方向に与える影響がはるかに小さいということを意味する。
【０００５】
しかしながら、ボールを靴の側部でキックすることの欠点は、トウキックと比べてボールに伝わるエネルギーが小さいということである。かかる非効率は、トウに比べて柔らかい側部に起因して生じる。さらに、靴の側部でのキックは、トウキックの場合のような脚の自然なアラインメントとインライン（ｉｎ−ｌｉｎｅ）をなすモーションではなく、非効率なスイーピング（ｓｗｅｅｐｉｎｇ）モーションで行う必要がある。
【先行技術文献】
【特許文献】
【０００６】
【特許文献１】独国特許出願公開第２６３７８０６（Ａ）号明細書
【特許文献２】独国実用新案第２００１７２０７（Ｕ）号明細書
【特許文献３】独国実用新案第２０２００５０１５２４３（Ｕ）号明細書
【特許文献４】欧州特許出願公開第４９６９３１（Ａ）号明細書
【特許文献５】米国特許第４，１２３，８５６号明細書
【発明の概要】
【０００７】
本発明の目的は、上記欠点の１つ以上を実質的に克服するか又は少なくとも改善することにある。
【０００８】
したがって、第１の側面において、本発明は、一端にトウと他端にヒールとを有する靴本体を含む運動靴を与える。トウは、スポーツボールに当たる凹部を有する。
【０００９】
凹部は、靴の使用が意図される運動のスポーツボールの半径に実質的に対応する半径を有するのが好ましい。
【００１０】
靴は、フットボール／サッカー靴であることが好ましい。しかし、他実施例において、靴は、プロラグビー、アマチュアラグビー、アメリカンフットボール、オーストラリア式フットボール、又はクリケットの靴である。
【００１１】
他の側面において、本発明は、スポーツボールに当たる凹形状のトウ部を有する運動靴を与える。
【００１２】
本発明の好ましい実施例を、添付の図面を参照して例としてのみ以下に説明する。
【図面の簡単な説明】
【００１３】
【図１】運動靴の第１の好ましい実施例の斜視図である。
【図２】運動靴の他実施例の上面図である。
【発明を実施するための形態】
【００１４】
図１を参照すると、フットボール／サッカー靴１の好ましい実施例が示される。フットボール／サッカー靴１は、一端にヒール５と他端にトウ７とを有する靴本体３を含む。ヒール５とトウ７との間には側部９が延びる。トウ７は、フットボール／サッカーのボールに、当該ボールのキック中に当たる凹部１１を含む。凹部１１は、半径が約１１ｃｍである。これは、標準のフットボール／サッカーのボールの半径に実質的に対応する。また、パッド（不図示）が、靴１の内部の、凹部１１の近くに設けられる。これにより、トウキック中に靴１に及ぼされる力が吸収されて、装着者の足への当該力の伝達が低減される。
【００１５】
凹部１１は、プラスチック等の合成材料又はスチールを利用した成形体構造である。また、凹部１１は、ボールのキック中に及ぼされる力に耐えるべく補強される。
【００１６】
フットボール／サッカー靴１は、業界で周知のゴムの靴底及びレザーの甲部で構成される。靴の甲部及び靴底の前部は、凹部１１の形状に整合するべく適切に成形される。
【００１７】
図２を参照すると、運動靴１の第２実施例が示される。ここで、図１の運動靴１に対応する参照番号は、対応する部分を示す。ただし、図２の運動靴１において、凹部１１は、フレーム１２の形態の補強材によって補強される。フレーム１２は、凹部１１から靴１のヒール５に向かって延びる。フレーム１２は、靴１の内部周縁のまわりに離間された複数のリブ１４を含む。フレーム１２は、硬質プラスチック等の硬質合成材料又はスチールから構成される。
【００１８】
なお、凹部１１によって、ボールをトウ７で相対的に正確にキックすることができる。さらに、ボールがトウ７でキックされるので、上記理由によりキックされるボールには多くのエネルギーが伝えられる。その結果、キックされるボールは高速となる。クリケットに使用される場合、靴１はまた、早い歩行を可能とする。これは、クリケット靴に通常与えられるトウのポイントが除去されるからである。
【００１９】
本発明が特定の実施例を参照して説明されたが、他の多くの形態でも実施できる。例えば、靴の甲部は、合成材料、又はレザーと合成材料との組み合わせで形成されてよい。いくつかの実施例では、トウキック中の装着者へ伝達される力を低減するべく、付加的な補強材及び／又はパッドが凹部の内側に設けられてよい。
【図１】
2010517710.tif 000003
【図２】
2010517710.tif 000004
【国際調査報告】
2010517710.tif 000005
2010517710.tif 000006